(57)【要約】【課題】ストラップ取付金具が目障りにならない良好な外観を得ることができるデジタルカメラを提供する。【解決手段】カメラボディ１の端部に、カメラボディ後面の上側部分の端部近くに設けられたズーム操作部４に隣接させて、ストラップ取付金具６を、ズーム操作部４と一体に見えるように配置した。【選択図】図１
2006337931.tif 000002
【特許請求の範囲】
【請求項１】
カメラボディの端部に、前記カメラボディの端部近くに設けられた操作部に隣接させてストラップ取付金具を配置したことを特徴とするデジタルカメラ。
【請求項２】
ストラップ取付金具は、隣接する操作部と一体に見えるように配置されていることを特徴とする請求項１に記載のデジタルカメラ。
【請求項３】
ストラップ取付金具は、カメラボディの外面に対して、隣接する操作部の操作面の延長面と同程度またはそれよりも高く突出していることを特徴とする請求項１または２に記載のデジタルカメラ。
【請求項４】
ストラップ取付金具は、カメラボディ後面の上側部分の端部近くに設けられたズーム操作部に隣接させて配置されていることを特徴とする請求項１に記載のデジタルカメラ。
【請求項５】
ストラップ取付金具は、ズーム操作部の上下方向の幅と同じ幅を有しており、その一端を前記ズーム操作部の隣接する端部に一致させて配置されていることを特徴とする請求項４に記載のデジタルカメラ。
【請求項６】
ズーム操作部は、左右に並べて配置された広角ボタンと望遠ボタンとからなっており、ストラップ取付金具は、前記ズーム操作部の上下方向の幅と同じ幅のベース部と、前記ベース部の外面に突設されたストラップ取付部とを有し、前記ベース部を前記カメラボディに固定したときのカメラボディ外面から前記ストラップ取付部の頂部までの高さが前記ズーム操作部の前記ボタン面の延長面と同程度またはそれよりも高く設定された成形品からなっていることを特徴とする請求項５に記載のデジタルカメラ。
【請求項７】
ストラップ取付金具のベース部は、そのズーム操作部側の部分の外面高さを前記ズーム操作部の前記ストラップ取付金具側のボタンを押したときのボタン面高さと同程度にした形状に形成され、ストラップ取付部は、前記ストラップ取付金具側のボタンを押すときの指の位置に対応させて、前記指をカメラボディの端部方向から受止める位置に形成されていることを特徴とする請求項６に記載のデジタルカメラ。
【請求項８】
ストラップ取付金具のストラップ取付部は、そのズーム操作部側の側面をベース部の外面から緩やかに立上がる曲面に形成した形状に形成されていることを特徴とする請求項７に記載のデジタルカメラ。
【発明の詳細な説明】
【技術分野】
【０００１】
この発明は、ストラップ取付金具を備えたデジタルカメラに関する。
【背景技術】
【０００２】
デジタルカメラは、カメラボディの端部の中間高さ付近にストラップ取付金具を備えている（特許文献１参照）
【特許文献１】特開２００５―３１２５０号公報
【発明の開示】
【発明が解決しようとする課題】
【０００３】
従来のデジタルカメラは、カメラボディの端部の中間高さ付近にストラップ取付金具が単独で突出しているため、このストラップ取付金具が目障りで、カメラの外観を損なうという問題をもっている。
【０００４】
この発明は、ストラップ取付金具が目障りにならない良好な外観を得ることができるデジタルカメラを提供することを目的としたものである。
【課題を解決するための手段】
【０００５】
この発明のデジタルカメラは、カメラボディの端部に、前記カメラボディの端部近くに設けられた操作部に隣接させてストラップ取付金具を配置したことを特徴とする。
【０００６】
この発明のデジタルカメラにおいて、前記ストラップ取付金具は、隣接する操作部と一体に見えるように配置するのが望ましい。
【０００７】
また、前記ストラップ取付金具は、前記カメラボディの外面に対して、隣接する操作部の操作面の延長面と同程度またはそれよりも高く突出させるのが望ましい。
【０００８】
この発明のデジタルカメラにおいて、前記ストラップ取付金具は、カメラボディ後面の上側部分の端部近くに設けられたズーム操作部に隣接させて配置するのが好ましい。
【０００９】
その場合は、前記ストラップ取付金具を、前記ズーム操作部の上下方向の幅と同じ幅に形成し、その一端を前記ズーム操作部の隣接する端部に一致させて配置するのが望ましい。
【００１０】
さらにその場合は、前記ズーム操作部を、広角ボタンと望遠ボタンとを左右に並べて配置した構成とし、前記ズーム操作部に隣接させて、前記ズーム操作部の上下方向の幅と同じ幅のベース部と、前記ベース部の外面に突設されたストラップ取付部とを有し、前記ベース部を前記カメラボディに固定したときのカメラボディ外面から前記ストラップ取付部の頂部までの高さが前記ズーム操作部の前記ボタン面の延長面と同程度またはそれよりも高く設定された成形品からなるストラップ取付金具を配置するのが好ましい。
【００１１】
また、前記ストラップ取付金具の前記ベース部は、そのズーム操作部側の部分の外面高さを前記ズーム操作部の前記ストラップ取付金具側のボタンを押したときのボタン面高さと同程度にした形状に形成し、前記ストラップ取付部は、前記ストラップ取付金具側のボタンを押すときの指の位置に対応させて、前記指をカメラボディの端部方向から受止める位置に形成するのが好ましい。
【００１２】
その場合、前記ストラップ取付金具のストラップ取付部は、そのズーム操作部側の側面を前記ベース部の外面から緩やかに立上がる曲面に形成した形状に形成するのが好ましい。
【発明の効果】
【００１３】
この発明のデジタルカメラは、カメラボディの端部に、前記カメラボディの端部近くに設けられた操作部に隣接させてストラップ取付金具を配置しているため、前記ストラップ取付金具が前記操作部を装飾するデザイン要素のように見え、したがって、前記ストラップ取付金具が目障りにならない良好な外観を得ることができる。
【００１４】
この発明のデジタルカメラにおいて、前記ストラップ取付金具は、隣接する操作部と一体に見えるように設けるのが望ましく、このようにすることにより、より良好な外観を得ることができる。
【００１５】
また、前記ストラップ取付金具は、前記カメラボディの外面に対して、隣接する操作部の操作面の延長面と同程度またはそれよりも高く突出させるのが望ましく、このようにすることにより、前記隣接する操作部を前記ストラップ取付金具によりガードし、誤ってカメラを落したり障害物にぶつけたりしたときの衝撃による前記操作部の損傷を防ぐことができる。
【００１６】
この発明のデジタルカメラにおいて、前記ストラップ取付金具は、カメラボディ後面の上側部分の端部近くに設けられたズーム操作部に隣接させて配置するのが好ましく、このようにすることにより、前記ストラップ取付金具が前記ズーム操作部を装飾するデザイン要素のように見える、ストラップ取付金具が目障りにならない良好な外観を得ることができる。
【００１７】
その場合は、前記ストラップ取付金具を、前記ズーム操作部の上下方向の幅と同じ幅に形成し、その一端を前記ズーム操作部の隣接する端部に一致させて配置するのが望ましく、このようにすることにより、前記ズーム操作部とストラップ取付金具が一体に見えるようにし、より良好な外観を得ることができる。
【００１８】
さらにその場合は、前記ズーム操作部を、広角ボタンと望遠ボタンとを左右に並べて配置した構成とし、前記ズーム操作部に隣接させて、前記ズーム操作部の上下方向の幅と同じ幅のベース部と、前記ベース部の外面に突設されたストラップ取付部とを有し、前記ベース部を前記カメラボディに固定したときのカメラボディ外面から前記ストラップ取付部の頂部までの高さが前記ズーム操作部の前記ボタン面の延長面と同程度またはそれよりも高く設定された成形品からなるストラップ取付金具を配置するのが好ましく、このようにすることにより、前記ズーム操作部とストラップ取付金具が一体に見えるようにして良好な外観を得るとともに、前記ズーム操作部を前記ストラップ取付金具によりガードし、衝撃による前記ズーム操作部の損傷を防ぐことができる。
【００１９】
また、前記ストラップ取付金具の前記ベース部は、そのズーム操作部側の部分の外面高さを前記ズーム操作部の前記ストラップ取付金具側のボタンを押したときのボタン面高さと同程度にした形状に形成し、前記ストラップ取付部は、前記ストラップ取付金具側のボタンを押すときの指の位置に対応させて、前記指をカメラボディの端部方向から受止める位置に形成するのが好ましく、このようにすることにより、撮像者に、前記ストラップ取付金具側のボタン上に指があることを触感で認識させ、そのボタンを確実に押させることができる。
【００２０】
その場合、前記ストラップ取付金具のストラップ取付部は、そのズーム操作部側の側面を前記ベース部の外面から緩やかに立上がる曲面に形成した形状に形成するのが好ましく、このようにすることにより、前記ストラップ取付部に、良好なフィット感で指を受止めさせることができる。
【発明を実施するための最良の形態】
【００２１】
図１〜図３はこの発明の一実施例を示しており、図１はデジタルカメラの後面側から見た斜視図、図２及び図３は前記デジタルカメラのストラップ取付金具配置部の拡大正面図及び拡大平面図である。
【００２２】
このデジタルカメラは、左右方向の長さが８０〜９０ｍｍ、高さが５０〜６０ｍｍ、前後面間の厚さが１５〜２５ｍｍの薄型カメラであり、左右の端部がそれぞれ半円筒面に形成された矩形状ケースからなるカメラボディ１内に、電源のＯＮに連動してカメラボディ１の前面から突出され、電源のＯＦＦに連動してカメラボディ１内に引き込み格納される撮像レンズと、前記撮像レンズに対向させて配置された個体撮像素子と、電源部及び各種制御回路等（いずれも図示せず）が実装され、前記カメラボディ１の後面に、モニタ表示部２と、メニューキー３及びズーム操作部４が設けられ、前記カメラボディ１の上面にシャッタボタン５が設けられている。
【００２３】
前記モニタ表示部２は、カメラボディ１の後面のうち、後面側から見て右端側の領域を除く部分に設けられ、前記メニューキー３は、前記右端側の領域の中間高さ付近に設けられ、前記ズーム操作部４は、前記メニューキー３の上方、つまりカメラボディ後面の上側部分の右端部近くに設けられており、前記シャッタボタン５は、カメラボディ上面の右端部近くに設けられている。
【００２４】
前記ズーム操作部４は、左右に並べて配置された広角ボタン４ａと望遠ボタン４ｂとからなっており、その輪郭形状は、横長の矩形状をなしている。
【００２５】
前記ズーム操作部４の広角ボタン４ａと望遠ボタン４ｂは、その両方を一体に成形した部材からなっており、前記カメラボディ１の後面に設けられた図示しない開口部に、左側の広角ボタン４ａが押されたときに左端側がカメラボディ１側に沈み込む方向に傾動し、右側の望遠ボタン４ｂが押されたときに右端側がカメラボディ１側に沈み込む方向に傾動するように設けられている。なお、前記広角ボタン４ａと望遠ボタン４ｂは、単独で押される別部品としてもよい。
【００２６】
また、図では省略しているが、前記カメラボディ１の後面の右端側領域には、前記メニューキー３及びズーム操作部４の配置部以外の適当な箇所に、撮像／再生選択キー及び静止画／動画選択キー等が設けられており、カメラボディ１の上面には、電源スイッチ等が設けられている。
【００２７】
さらに、このデジタルカメラは、ストラップ取付金具６を備えており、このストラップ取付金具６は、前記カメラボディ１の端部近くに設けられた前記ズーム操作部４に隣接させて配置されている。
【００２８】
前記ストラップ取付金具６は、前記ズーム操作部４と一体に見えるように配置され、前記カメラボディ１の外面に対して、前記ズーム操作部４の操作面の延長面、つまり前記広角ボタン４ａ及び望遠ボタン４ｂのボタン面の延長面Ｌよりも僅かに高く突出している。
【００２９】
この実施例では、前記ストラップ取付金具６を、前記ズーム操作部４の上下方向の幅と同じ幅に形成し、その一端を前記ズーム操作部４の隣接する端部に一致させて、前記ズーム操作部４と一体に見えるように配置している。
【００３０】
前記ストラップ取付金具６は、前記ズーム操作部４の上下方向の幅と同じ幅のベース部６ａと、前記ベース部６ａの外面に突設されたストラップ取付部６ｂとを有し、前記ベース部６ａを前記カメラボディ１に固定したときのカメラボディ外面から前記ストラップ取付部６ｂの頂部までの高さが前記ズーム操作部４の前記ボタン４ａ，４ｂ面の延長面Ｌよりも０．５〜２ｍｍ程度高く設定された成形品からなっている。
【００３１】
このストラップ取付金具６のベース部６ａは、前記カメラボディ１の半円筒状端部の中間部（半円筒面の中間部）から後面側の曲面に沿って湾曲する形状に形成されており、このベース部６ａの長さ方向（カメラボディ１の左右方向に沿った方向）の中央部の外面に、前記ベース部６ａの幅と略同じ幅に形成され、図示しないストラップを取付けるためのストラップ通し孔７が設けられたストラップ取付部６ｂが突設されている。
【００３２】
また、前記ベース部６ａは、そのズーム操作部４側の部分の外面高さを前記ズーム操作部４のストラップ取付金具６側の望遠ボタン４ｂを押したときのボタン面高さと同程度にした形状に形成され、前記ストラップ取付部６ｂは、前記望遠ボタン４ｂを押すときの指の位置に対応させて、前記指をカメラボディ１の端部方向から受止める位置に形成されている。
【００３３】
なお、このデジタルカメラによる撮像は、カメラボディ１の右側の部分を右手で持ち、図に仮想線（二点鎖線）で示したように、前記右手の親指Ａで前記ズーム操作部４の広角ボタン４ａまたは望遠ボタン４ｂを押してズーム調整し、人差指Ｂでシャッタボタン５を押して行なわれるため、前記ストラップ取付金具６のストラップ取付部６ｂは、前記親指Ａをカメラボディ１の端部方向から受止める位置に形成されている。
【００３４】
さらに、前記ストラップ取付部６ｂは、そのズーム操作部４側の側面とその反対側の側面とをそれぞれ、前記ベース部６ａの外面から緩やかに立上がる曲面に形成した形状に形成されている。
【００３５】
また、前記ストラップ取付金具６は、前記ベース部６ａのカメラボディ対向面に突設された図示しないカメラボディ固定ピンを有しており、このストラップ取付金具６は、前記カメラボディ固定ピンをカメラボディ１に設けられた孔に挿入し、その固定ピンのカメラボディ１内に突出する端部に設けられた固定溝にストップリングを嵌込むことにより前記カメラボディ１に固定されている。
【００３６】
このデジタルカメラは、カメラボディ後面の上側部分の端部近くに設けられたズーム操作部４の端部に隣接させてストラップ取付金具を配置しているため、前記ストラップ取付金具６が前記ズーム操作部４を装飾するデザイン要素のように見える。
【００３７】
しかも、このデジタルカメラは、前記ストラップ取付金具６をカメラボディ１の一端（右端）の上側角部に配置されているため、カメラボディの端部の中間高さ付近にストラップ取付金具を配置している従来のデジタルカメラに比べて、ストラップ取付金具６が目立ち難い。
【００３８】
そのため、このデジタルカメラは、前記ストラップ取付金具６が目障りにならない良好な外観を得ることができる。
【００３９】
また、この実施例では、前記ズーム操作部４を、広角ボタン４ａと望遠ボタン４ｂとを左右に並べて配置した構成とし、前記ズーム操作部４に隣接させて、前記ズーム操作部４の上下方向の幅と同じ幅のベース部６ａと、前記ベース部６ａの外面に突設されたストラップ取付部６ｂとを有し、前記ベース部６ａを前記カメラボディ１に固定したときのカメラボディ外面から前記ストラップ取付部６ｂの頂部までの高さが前記ズーム操作部４の前記ボタン面の延長面よりも高く設定された成形品からなるストラップ取付金具６を配置しているため、前記ズーム操作部４とストラップ取付金具６が一体に見えるようにして良好な外観を得るとともに、前記ズーム操作部４を前記ストラップ取付金具６によりガードし、誤ってカメラを落したり障害物にぶつけたりしたときの衝撃による前記ズーム操作部４の損傷を防ぐことができる。
【００４０】
なお、前記ストラップ取付金具６は、前記ズーム操作部４の輪郭部と広角及び望遠ボタン４ａ，４ｂまたは前記輪郭部と前記ボタン４ａ，４ｂのいずれかと同じ質感の材料で形成するか、あるいは同じ色にメッキまたは塗装するのが望ましく、このようにすることにより、前記ズーム操作部４とストラップ取付金具６の一体感をさらに高くすることができる。
【００４１】
しかも、この実施例では、前記ストラップ取付金具６のベース部６ａを、そのズーム操作部４側の部分の外面高さを前記ズーム操作部４のストラップ取付金具６側の望遠ボタン４ｂを押したときのボタン面高さと同程度にした形状に形成し、前記ストラップ取付部６ｂを、前記望遠ボタン４ｂを押すときの指（親指）Ａの位置に対応させて、前記指Ａをカメラボディ１の端部方向から受止める位置に形成しているため、撮像者に、前記ストラップ取付金具６側の望遠ボタン４ｂ上に指Ａがあることを触感で認識させ、その望遠ボタン４ｂを確実に押させることができる。
【００４２】
また、この実施例では、前記ストラップ取付金具６のストラップ取付部６ｂを、そのズーム操作部４側の側面を前記ベース部６ａの外面から緩やかに立上がる曲面に形成した形状に形成しているため、前記ストラップ取付部６ｂに、良好なフィット感で指Ａを受止めさせることができる。
【００４３】
なお、上記実施例では、前記ストラップ取付金具６を、カメラボディ１の外面に対して前記ズーム操作部４の操作面の延長面（広角ボタン４ａ及び望遠ボタン４ｂのボタン面の延長面）Ｌよりも高く突出させているが、前記カメラボディ１の外面に対するストラップ取付金具６の突出高さは、図４に示した他の実施例のように、前記ズーム操作部４の操作面の延長面Ｌと同程度にしてもよく、前記ストラップ取付金具６の突出高さが前記ズーム操作部４の操作面の延長面Ｌと同程度以上であれば、前記ズーム操作部４をストラップ取付金具６によりガードし、衝撃によるズーム操作部４の損傷を防ぐことができる。
【００４４】
また、上記実施例では、ストラップ取付金具６を、カメラボディ後面の上側部分の端部近くに設けられたズーム操作部４に隣接させて配置しているが、ストラップ取付金具は、カメラボディ１の端部近くに設けられた他の操作部、例えばカメラボディ上面の端部近くに設けられたシャッタボタン５に隣接させて、前記カメラボディ１の上面の端部に配置してもよい。
【００４５】
さらに、上記実施例のデジタルカメラは、カメラボディ後面の上側部分の端部近くにズーム操作部４を設けたものであるが、カメラボディ上面の端部近くに、シャッタボタンとズームダイヤルとを備えたシャッタ／ズーム操作部を設け、その操作部に隣接させてストラップ取付金具を配置してもよく、また、メニューキー３、撮像／再生選択キー、静止画／動画選択キー等のうちの任意の操作部をカメラボディ後面の端部近くに設け、その操作部に隣接させてストラップ取付金具を配置してもよい。
【００４６】
前記シャッタボタン５、シャッタ／ズーム操作部、メニューキー３、撮像／再生選択キー、静止画／動画選択キー等の操作部に隣接させてストラップ取付金具を配置する場合、前記ストラップ取付金具は、隣接する操作部と一体に見えるように設けるのが望ましく、このようにすることにより、より良好な外観を得ることができる。
【００４７】
また、前記ストラップ取付金具は、前記カメラボディの外面に対して、隣接する操作部の操作面の延長面と同程度またはそれよりも高く突出させるのが望ましく、このようにすることにより、前記隣接する操作部を前記ストラップ取付金具によりガードし、衝撃による前記操作部の損傷を防ぐことができる。
【図面の簡単な説明】
【００４８】
【図１】この発明の一実施例を示すデジタルカメラの後面側から見た斜視図。
【図２】前記デジタルカメラのストラップ取付金具配置部の拡大正面図。
【図３】前記デジタルカメラのストラップ取付金具配置部の拡大平面図。
【図４】この発明の他の実施例を示すデジタルカメラのストラップ取付金具配置部の拡大平面図。
【符号の説明】
【００４９】
１…カメラボディ、２…モニタ表示部、３…メニューキー、４…ズーム操作部、４ａ…広角ボタン、４ｂ…望遠ボタン、５…シャッタボタン、６…ストラップ取付金具、６ａ…ベース部、６ｂ…ストラップ取付部、７…ストラップ通し孔。
【図１】
2006337931.tif 000003
【図２】
2006337931.tif 000004
【図３】
2006337931.tif 000005
【図４】
2006337931.tif 000006